Podtech/llm-jp-corpus-v4-ja_patent huggingface dataset:
(57)【特許請求の範囲】
【請求項１】
平鋼を捩った、ねじり平鋼（１）に、該ねじり平鋼の幅と同じ直径のパイプ（３）を、該パイプの端の切込みに該ねじり平鋼を差込むことにより接続し、さらに両者を溶接し、パイプの先端近くに鉄棒が通る穴（２）を貫通し、ねじり平鋼の先端を尖らせ、パイプとねじり平鋼の接合部に鍔（６）状の鉄板を溶接し、パイプの先端付近の側面に、穴をあけ、穴にナット（４）を溶接して、蝶ボルト（５）を取付けた事を特徴とする、アンカー。
【発明の詳細な説明】
【０００１】
【発明の属する技術分野】
本発明は、地面に杭を打ち込み、これにロープを掛けて引っ張る時に使用する杭と、地面に柱を立てる時に使用する、柱立て台に関するものである。
【０００２】
【従来の技術】
先ず従来の杭の場合は、図３（イ）に示す如く、上部を輪にした鉄の棒を、地面に打ち込むか、図３（ロ）に示す如く、棒の部分を螺旋状にしたものを、地面に捩じ込んで、輪にロープを掛けて、テント等を引っ張っている。
【０００３】
次に従来の柱立て台は、図４（イ）に示す如く、中心に穴があいた台をコンクリートで作り、これを地面に置いて、穴の中に旗竿を立てたり、柱を立てて物干し台にしている。このコンクリートの台は重いので、持ち運びし易くする為に、同じ形の台をポリ容器で作り、使用する時に中に水を入れたり、又は図４（ロ）に示す如く鉄板に鉄のパイプを溶接した台を作り、これに傘の柄を差込んで、ビーチパラソル立て等にしている。
【０００４】
【発明が解決しようとする課題】
先ず従来の棒状の杭は抜け易く、螺旋状の杭は高価なので、本発明は、安くて抜け難い杭を提供しようとするものである。
【０００５】
次に従来の柱立て台は、コンクリートの台は重くて運搬し難く、ポリ容器の台や鉄製の台も、かさ張って運搬し易いとは言えない。この為本発明は、軽くて運搬し易い柱立て台を、提供しようとするものである。
【０００６】
【課題を解決するための手段】
ここで本出願人は先に、平鋼を捩った時に、ねじりピッチがどこも均一で真っ直ぐにねじる方法を発明し、特願平 9-12306号により出願済みである。本発明はこの方法により製作したねじり平鋼をアンカーとして使用し、地面に捩じ込む事にした。
【０００７】
先ず杭として使用するアンカーは、図１（イ）に示す如く、平鋼を捩った、ねじり平鋼の上部に鉄棒が通る穴をあけ、棒を穴に差込んで、ねじり平鋼を回して地面に捩じ込み、穴にロープを通して引っ張れば、安くて抜け難い杭になる。
【０００８】
次に柱立て台として使用するアンカーは、図２に示す如く、ねじり平鋼にパイプを接続して溶接し、パイプの上部に、鉄棒が通る穴を貫通し、棒を穴に差込んで回せば、ねじり平鋼は簡単に地面に捩じ込まれて行く。尚この場合、ねじり平鋼とパイプの間に鉄の鍔を溶接すれば、これ以上捩じ込まれないので位置が決まり、パイプが傾くのを防ぐ効果がある。このようにして地面に立てたパイプは、抜け難く、倒れ難くい為、これに柱を差込んで立てればよい。このようにすれば、軽くて運搬し易い柱立て台が出来る。
【０００９】
【発明の実施の形態】
先ず杭として使用するアンカーを、図１（イ）に示すと、長いねじり平鋼を、適当に切断したねじり平鋼（１）を用意し、一方の先端近くに鉄棒が通る穴（２）をあけ、もう一方の先端を、地面にぬかり易いように少し尖らせると、従来の杭に代わり使用出来るアンカーになる。又は図１（ロ）に示す如く、平鋼の部分を少し残して、その先を捩じったねじり平鋼（１’）を用意し、平鋼の部分に鉄棒が通る穴（２）をあけ、ねじり平鋼の先を少し尖らせても良い。このアンカーの使用法は、適当な鉄棒を穴に差込んで回せば、地面に捩じ込まれるので、穴にロープを通して引っ張る事が出来る。
【００１０】
次に柱立て台として使用するアンカーを、実施例として図２に示すと、ねじり平鋼の幅とほぼ同じ直径のパイプ（３）を用意し、パイプの端に平鋼の厚みの幅の切込みを入れる。そしてこの切込みに、図１（ロ）に示したねじり平鋼（１’）を差込んで溶接し、先端を少し尖らせる。そしてパイプの先端近くに、鉄棒を差込む穴（２）を貫通し、次にその付近に別の穴を開け、穴にナット（４）を溶接して蝶ボルト（５）を取り付ける。最後に鉄板で鍔（６）を作り、ねじり平鋼とパイプの間に溶接すれば、従来の柱立て台に代わり使用出来るアンカーになる。
【００１１】
このアンカーの使用法は、アンカーを地面に立て、適当な鉄棒を穴に差込んで回せば、アンカーは鍔の所まで捩じ込まれて立てる事が出来る。そこで柱を、アンカーのパイプに挿入して立て、蝶ボルトで絞めば動かなくなる。この柱は、「従来の技術」の項で例を示した如く、旗竿であれば旗立になり、柱を立てれば物干し台になり、傘の柄であればビーチパラソル立てにする事が出来るし、その他柱を立ててテントを張る事も出来る。
【００１２】
【発明の効果】
以上のように、本発明のアンカーは、ねじり平鋼を使用しているので、地面に捩じ込むと、容易に抜けないし、一方抜く時は鉄棒を差込んで回せば、簡単に抜く事が出来る特徴がある。その上製作が簡単なので安く出来、持ち運びが容易で、誰でも楽に使用する事が出来る特徴がある。
【図面の簡単な説明】
【図１】本発明の第１実施例の正面図。
【図２】本発明の第２実施例の正面図。
【図３】従来の杭の（イ）は棒状の正面図、（ロ）は螺旋状の正面図。
【図４】従来の柱立て台の（イ）はコンクリート製の斜視図、（ロ）は鉄製の斜視図。
【符号の説明】
１、１′ねじり平鋼    ２  穴                ３  パイプ
４  ナット            ５  蝶ボルト          ６  鍔
【図１】
0004111601.tif 000002
【図２】
0004111601.tif 000003
【図３】
0004111601.tif 000004
【図４】
0004111601.tif 000005
(57)【特許請求の範囲】
【請求項１】
冷却ユニットによって温度コントロールされた冷蔵庫内に、逆さに装着したワインボトル又は専用容器の入口を貫通し、一方のパイプロが前記ワインボトル又は専用容器内のワイン液の液面より上に支持されもう一方のパイプロが電動弁を通じ真空ポンプに接続されたパイプと、一方のパイプロが前記ワインボトル又は専用容器首部より少許貫通してワイン液中に位置し、もう一方のパイプロがワイン抽出口であるコックと接続した、計２本のパイプを装着した栓を前記ワインボトル又は専用容器に挿入し、コックレバーを引くと電動弁が解放されパイプを通り大気圧がかかりワインが抽出され、前記コックレバーを戻すと電動弁が閉まり真空ポンプが働き前記ワインボトル又は専用容器内のワイン液面より上部の空気を抜くようにして、真空ポンプ・栓・コックレバーを連動させる事により一体化したシステムを形成させ、ワンタッチでワイン抽出とワインボトル又は専用容器内の真空化とその解放をはかるようにしたワインディスペンサー。
【発明の詳細な説明】
【０００１】
【産業上の利用分野】
この発明はワインの味の劣化が無くワンタッチでワインを注ぐことの出来る、ワインディスペンサーに関するものである。
【０００２】
【従来の技術】
従来はワインをグラス売りする場合、ワイン瓶のコルク栓を抜きワインを注ぎ、再びコルク栓をし冷蔵庫で保存すると言う様な方法である。
【０００３】
【本発明が解決しようとする課題】
栓を開けたワインの保存の時、再び栓をして置くがワインが酸化して風味を損う。これを解決する為瓶の空気を抜きワインの酸化を防止しワインを注ぐ作業を合理化して作業の効率を計る。
【０００４】
【課題を解決するための手段】
栓をしたワインの空気を真空ポンプで抜き真空  を保つ様にし、更にワイン瓶よりパイプをかいしコックを設け、コックを開ける事によりワインをグラスに注ぐ様にした。
【０００５】
【作用】
本発明のワインディスペンサーは冷却ユニットにより、最適保存温度及び飲み頃の温度に保ち、真空ポンプにより真空保持し、風味の劣化、酸化防止等の品質の向上を計る。又コックを開くだけでグラスに注ぐ事が出来、作業の効率を上げる事が出来る。
【０００６】
【実施例】
本体１は保存庫と下部の機械室に分かれている。保存庫の扉２はヒンジ３により開閉自在となっている。保存庫の部分は断熱材１７に覆われ側面及び扉はペアーガラスにより形成されていて外部との熱遮断と且つ中が見える様に成っている。次に本体１に固定された金具４にスティー上５、スティー下６を設け、ワイン瓶を逆さに保持しパイプ８パイプ９を差し込んだ栓１０によりワイン瓶は密閉される。パイプ９は液溜り１１をかいし、コック１３に繋げられている。液溜り１１よりドレン１６が接続されワインの澱等を排出する。パイプ８は上部をワイン面より上に出る様に設定されている。即ちワイン瓶にワインが満杯の時は液溜りに溜り上部に空間が出来る様に成っている。もう一方は電動弁２２をかいし真空ポンプ１２に接続され、設定圧力に制御される様に成っている。又保存庫内の温度は冷却ユニット１９，２０，２１，により適温１２℃〜１５℃にコントロールされている。１９は庫内用熱交換器及びファンで２０はペルチェ素子で２１は放熱用の熱交換器及びファンである。操作方法はコック１３のレバー１５を引くと電動弁が解放されパイプ８を通り大気圧がかかりワインがグラスに注がれる。レバーを戻すと電動弁が閉まり真空ポンプが働きワイン瓶の中の空気を抜く。更に保存庫内にはストックワインが納められている。他に真空ポンプを共通に同一庫内に異なるワインを同様にセットして、それぞれコックを設け数種類のワインのディスペンス、サービスを行う事ができる。更に多量に消費する店で使用する場合はワイン瓶の代わりに専用の容器２３を用意し、容器の底にパイプ９Ｂを上部にパイプ８Ａとワインの注入口を設ける。注入口は螺子蓋により密閉可能とする。これにより大容量のワインディスペンサーとする事ができる。
【０００７】
【効果】
本発明によりレストランでのワインのグラス売りの拡大と品質向上及び廃棄によるロスの減少。又ワインを小分けして売る事を可能とし、一本では多い場合、試飲の時等市場の拡大を計る事が出来る。
【図面の簡単な説明】
【図１】  本発明の正面断面図
【図２】  専用容器の正面断面図
【符号の説明】
１  本体          １２  真空ポンプ            ２３  専用容器
２  扉            １３  コック                ２４  螺子蓋
３  ヒンジ        １４  グラス                ２５  パイプ８Ａ
４  金具          １５  コックレバー          ２６  パイプ９Ｂ
５  スティー上    １６  ドレン
６  スティー下    １７  断熱材
７  ワイン瓶      １８  ペアーガラス
８  パイプ８      １９  庫内用熱交換器とファン
９  パイプ９      ２０  ペルチェ素子
１０  栓            ２１  放熱用熱交換器とファン
１１  液溜り        ２２  電動弁
【図１】
0004110687.tif 000002
【図２】
0004110687.tif 000003
(57)【特許請求の範囲】
【請求項１】
郵便物を投入するための郵便受け口が第１の側部の一部に開口し、第１の側部と所定距離を置いて対向する位置に配置された第２の側部に郵便取り出し用の開閉自在の扉が配置され、これらの側部を含んで全体として箱状の形状をなすと共に、その箱状の形状の底部に前記郵便物を通過させるための所定サイズの矩形状の開口部を配置した郵便収容箱部と、
この郵便収容箱部の下方にこれと連結するように配置され、全体として箱状の形状をなし、前記第１の郵便収容箱部の前記開口部に相当する上部位置を開口とすると共に所定の側部としての第３の側部に物品取り出し用の開閉自在の扉を設けた保管物収容部と、
前記郵便収容箱部の前記開口部における前記郵便受け口側の端部に一端側を回動自在に保持した第１の板材と、この第１の板材の他端側にヒンジ機構によってその一端側を連結することで前記第１の板材と折り重なったり、展開して前記第１の板材と同一平面を構成することのできる第２の板材とからなり、前記第１の板材と第２の板材が折り重なった状態で前記ヒンジ機構が前記郵便受け口の下方の前記第１の側部側に倒れて配置された配置状態のときに前記第１の板材が前記郵便受け口から投入された郵便物を前記開口部を経て前記保管物収容部に落下させるためのガイド板を構成し、前記第１の板材と第２の板材が前記同一平面を構成するように水平方向に展開した配置状態で前記開口部を覆って前記郵便受け口から投入された郵便物を前記郵便収容箱部内にのみ収容するための前記郵便収容箱部の底板を構成する中底板部
とを具備することを特徴とする保管庫つき郵便受け。
【発明の詳細な説明】
【技術分野】
【技術分野】
【０００１】  本発明は、留守中の大容量となる郵便・新聞受けと、物品の受け渡しのための保管庫を一つにし、利便性をはかった保管庫つき郵便受けに関する。
【背景技術】
【０００２】  従来、郵便受けは、だいたい一日分の郵便及び新聞の入る大きさであった。特別大容量の郵便受けもあるが、取り出し口が下方であり、取り出しにくかったり、必要のないときはじゃまであった。また、保管庫として玄関におくものもあるが、やはり邪魔であったり、持ち去られる心配もあった。
【解決の課題】
【０００３】イ）何日間か留守にする場合、郵便受けがあふれそうになっていると、泥棒に留守が気づかれてしまったり、新聞を止めるので帰宅後読むことが出来なかったり、隣人に頼んだりしなくてはならなかった。
ロ）大容量の郵便受けは、一日分としては大きすぎ取り出しにくかった。
ハ）共働きあるいはちょっとした外出などで留守の間、知人間の物品の受け渡しに困ることもあった。
本発明は、これらの課題を一挙に解決するためになされたものである。
【解決のための手段】
【０００４】  郵便受け３と下についた保管庫６との間に開閉できる中底板１を設け、上記課題を解決する。
【実施例】
【０００５】  図１で示すように、閉めている時中底板１は、丁番と支えで固定し、開けるとき、折りたたみ、それが郵便受け口２から保管庫６への傾斜版となる。
【発明の効果】
【０００６】１）数日間の留守中の大容量になる郵便・カタログ・メール便・新聞などを保管できるため、泥棒に気づかれず、隣人に頼むこともなく、帰宅後、すぐに留守中の郵便・新聞等を読むことが出来る。
２）数ヶ月にわたる留守の場合でも、新聞を止めるだけで上記の効果を得ることが出来る。
３）普段は中底板を閉めて取り出しやすい郵便・新聞受けとして利用できる。
４）中底板を閉めて、外出中の物品の受け渡しに保管庫として利用できる。
【図面の簡単な説明】
【０００７】
【図１】は、郵便受け５部分の底面が、保管庫６の上面より広くとられている形状のもの。中底板１を折りたたみ、受け口からの傾斜とする。
【符号の説明】
【０００８】１．中底板
２．郵便受け口
３．郵便取り出し口
４．物品取り出し口
５．郵便受け部分
６．保管庫部分
【図１】
0004110413.tif 000002
(57)【特許請求の範囲】
【請求項１】
基管（２）に対しスライド環（５）を有する三方支杆（４）を介して等角度に開拡する三脚（３）は、各下端口（３ａ）に締付具（６）を介して延長脚（７）を備え、又前記基管（２）の上端口（２ａ）には締付具（８）を介して中間支柱（１ａ）を高さ調節可能に挿着し、該中間支柱（１ａ）の上端に操作レバー（１０）で位置設定される水平、垂直旋回盤（９）を介して上部支柱（１ｂ）を前記中間支柱（１ａ）と芯一に起立させ、該上部支柱（１ｂ）の上端に締付具（１３）を有するボール継手（１２）を介して照明灯（１４）を着脱自在の装着した照明灯取付杆（１５）を連結し、前記三脚（３）の三方支杆（４）の開拡状態において、支杆（４）相互間に着脱自在に架設する部品・工具トレイ（１６）と、前記基管（２）を取巻いて三方支杆（４）上に安置する馬蹄型の調整錘（１７）とを備えたことを特徴とするスタンド型車両用作業照明具。
【発明の詳細な説明】
【０００１】
【発明の属する技術分野】
本発明は、修理工場等において、車両の整備点検、部品交換、修理等の作業（以下「車両の作業」という）を行う際に使用するスタンド型の照明具に関する。
【０００２】
【従来の技術】
車両の作業は、各部位にわたり、夜間はもとより日中でも光の届かないところへは照明灯による照明が必要である。
これまでは、照明灯を適当の部位から吊るしたり、地上を這わせたり、台で高さを補うなどして、作業に適応させているが、その配置作業自体が厄介で手間取り、又必ずしも適所に配置できない場合があった。
【０００３】
なお他の分野で、例えば手術用の電燈支持装置などが過去に提案されているけれども、直ちに車両の作業に適用できるものでなく、部品、工具（手術にあっては手術用具となろう）などの整理手段を備えていないものであり、移動性、安定性、不使用時の格納性、携帯性にも何ら配慮されていないものであった。
【０００４】
【発明が解決しようとする課題】
本発明は、上記実情に鑑みてなされたもので、使用時には照明灯が三次元的に自在に位置調節可能であり、又安定性、移動性に優れ、さらに部品、工具などを地上に散乱させない整理皿を備え、不使用時には折畳み式に格納して携帯運搬にも便利な車両用作業照明具を提供しようとするものである。
【０００５】
【課題を解決するための手段】
上記目的を達成するため、本発明は、基管２に対しスライド環５を有する三方支杆４を介して等角度に開拡する三脚３を設け、その各下端口３ａに締付具６を介して延長脚７を備える。
【０００６】
又、前記基管２の上端口２ａには締付具８を介して中間支柱１ａを高さ調節可能に挿着し、該中間支柱１ａの上端に操作レバー１０で位置設定される水平、垂直旋回盤９を介して上部支柱１ｂを前記中間支柱１ａと芯一に起立させる。
【０００７】
そして、該中間支柱１ａの上端に締付具１３を有するボール継手１２を介して照明灯１４を着脱自在の装着した照明灯取付杆１５を連結する。
【０００８】
そしてさらに、前記三脚３の三方支杆４の開拡状態において、支杆（４）相互間に着脱自在に架設する部品・工具トレイ１６と、前記基管２を取巻いて三方支杆４上に安置する調整錘１７とを備えてスタンド型車両用作業照明具を構成する。
【０００９】
【作用】
本発明を使用するには、図１に示すように、スライド環５を基管２に沿って下死点まで押し下げて三方支杆４を突張ることにより三脚３を開く。そしてその三方支杆４相互間に部品・工具トレイ１６をクリップ１６ａを介して架設し、さらに基管２を取巻いて三方支杆４上に馬蹄型の調整錘１７を安置する。
そしてこの状態で、本発明の車両用作業照明具を車両の作業部位附近に近づける。
【００１０】
そして、作業部位に応じて、締付具８を弛めて中間支柱１ａを所望の高さに調節したうえ締付け固定し、次いで操作レバー１０を操作して旋回盤９を中間支柱１ａに対し水平乃至垂直方向に旋回させて上部支柱１ｂを方位角度に設定する。
【００１１】
そして最後に、締付具１３を弛めてボール継手１２を介して照明灯取付杆１５を方位角度自在に調整して、照明灯１４を作業部位に的確に配置する。
あとは照明灯１４を点灯させ、必要工具、部品等を部品・工具トレイ１６に載せて作業をに着手する。
【００１２】
図２にはボンネットを開けて、エンジン系、燃料系等の整備をするために、照明灯１４を水平に配置した状態が、図３には車両をリフトアップしてシャシ底部側整備のため照明灯１４を同じく水平に配置した状態が、図４にはホイール部（ブレーキ機構、ブレーキドラムなど）の整備のため外側から照明灯１４を垂直方向に配置した状態が、図１には周辺全体を照らすため照明灯１４を上部支柱１ｂと平行して垂直方向に配置した状態が、それぞれ実例として示される。
いずれの場合にも、照明灯１４の配置調整により生ずる照明具総体のアンバランス（偏芯加重）は調整錘１７で踏み堪えて安定性が保持される。
【００１３】
なお、工具が必要な場合には随時部品・工具トレイ１６より取り出し、使用後は再び部品・工具トレイ１６に戻す。部品交換には取外し部品を部品・工具トレイ１６に入れ、あらかじめ部品工具トレイ１６に用意しておいた新部品を取り出す。
【００１４】
不使用時には、部品・工具トレイ１６と調整錘１７を取り外して三脚３を畳み、中間支柱１ａを縮め、照明灯取付杆１５を折返し状に折畳んで適所に格納しておくものとする。
【００１５】
本発明は以上のように、修理工場などで、使用に際しては、照明灯１４が三次元的に自在に位置調節可能であり、使い勝手が容易である。又使用中の移動性にも優れる。調整錘１７により安定性が確保される。部品、工具などを地上に散乱させない部品・工具トレイ１６を備えるから、部品、工具の散逸、紛失を防止して作業の円滑性を向上させる。不使用時には、折畳み式にコンパクト化を図れるから格納性、携帯運搬性に優れる。
【図面の簡単な説明】
【図１】斜視図
【図２】ボンネット内を照明する使用状態を示す斜視図
【図３】車両をリフトアップしてシャシ底部を照明する使用状態を示す斜視図
【図４】ホイール部を照明する使用状態を示す斜視図
【符号の説明】
１ａ  中間支柱
１ｂ  上部支柱
２    基管
２ａ  上端口
３    三脚
３ａ  下端
４    三方支杆
５    スライド環
６    締付具
７    延長脚
８    締付具
９    水平、垂直旋回盤
１０    操作レバー
１２    ボール継手
１３    締付具
１４    照明灯
１５    照明灯取付杆
１６    部品・工具トレイ
１７    調整錘
【図１】
0004110775.tif 000002
【図２】
0004110775.tif 000003
【図３】
0004110775.tif 000004
【図４】
0004110775.tif 000005